(57)【要約】【課題】原稿の重送が生じた後処理についてユーザの利便性を更に向上する技術を提供する。【解決手段】原稿を搬送路に沿って搬送する搬送手段と、前記搬送路に設けられ、原稿の表裏画像を読み取る画像読取手段と、前記搬送路に設けられ、原稿の重送を検知する重送検知手段と、前記画像読取手段が読み取って得た原稿の表裏画像を結合する画像処理手段と、前記重送検知手段による重送検知後の次操作を指定する操作手段と、を備え、前記画像処理手段は、前記操作手段の操作に基づいて、前記重送検知手段により重送と検知された原稿の表裏画像を結合することを特徴とする画像処理装置とする。【選択図】図７
2017208627.tif 000002
【特許請求の範囲】
【請求項１】
原稿を搬送路に沿って搬送する搬送手段と、
前記搬送路に設けられ、原稿の表裏画像を読み取る画像読取手段と、
前記搬送路に設けられ、原稿の重送を検知する重送検知手段と、
前記画像読取手段が読み取って得た原稿の表裏画像を結合する画像処理手段と、
前記重送検知手段による重送検知後の次操作を指定する操作手段と、を備え、
前記画像処理手段は、前記操作手段の操作に基づいて、前記重送検知手段により重送と検知された原稿の表裏画像を結合することを特徴とする画像処理装置。
【請求項２】
原稿を搬送路に沿って搬送する搬送手段と、
前記搬送路に設けられ、原稿の表裏画像を読み取る画像読取手段と、
前記搬送路に設けられ、原稿の重送を検知する重送検知手段と、
前記画像読取手段が読み取って得た原稿の表裏画像を結合する画像処理手段と、
前記重送検知手段による重送検知後の次操作を指定する操作手段と、を備え、
前記操作手段は、原稿の表裏画像を結合するか否かの操作画面を表示する表示手段を有し、
前記画像処理手段は、前記操作画面での操作に基づいて、原稿の表裏画像を結合することを特徴とする画像処理装置。
【請求項３】
前記表示手段は、前記重送検知手段の検知結果に基づいて、前記メッセージ画面の表示内容を変更することを特徴とする請求項１又は２に記載の画像処理装置。
【請求項４】
前記搬送路に対して原稿を１枚ずつ分離して給送する分離給送手段と、を更に備え、
前記表示手段は、前記重送検知手段が原稿の重送を検知した場合に、原稿の重送が生じた旨のメッセージ画面を表示し、
前記メッセージ画面では、読み取った表裏画像に対する処理として、「保存」、「結合」、「破棄」、又は「再読取」のうち、少なくとも「結合」に関する項目の指定が可能であることを特徴とする請求項３に記載の画像処理装置。
【請求項５】
前記重送検知手段の検知結果に基づき原稿の全体が重送したと判断される場合には、前記表示手段は、読み取った表裏画像に対する処理として、「保存」、「結合」、「破棄」、又は「再読取」に関する各項目が指定可能なメッセージ画面を表示し、
前記重送検知手段の検知結果に基づき原稿の一部が重送したと判断される場合には、前記表示手段は、読み取った表裏画像に対する処理として、「保存」、「破棄」、又は「再読取」に関する各項目が指定可能なメッセージ画面を表示することを特徴とする請求項３に記載の画像処理装置。
【請求項６】
前記重送検知手段の検知結果に基づき原稿の一部が重送したと判断される場合には、前記表示手段は、重送した旨のメッセージ画面を表示し、
前記重送検知手段の検知結果に基づき原稿の全体が重送したと判断される場合には、前記表示手段は、読み取った表裏画像の結合を行うか否かのメッセージ画面を表示することを特徴とする請求項３に記載の画像処理装置。
【請求項７】
原稿の先端及び後端を原稿検知センサにより検知し、前記原稿検知センサを通過する原稿の通過時間を取得する取得手段、を更に備え、
前記取得手段が取得した原稿の通過時間と前記搬送手段の搬送速度とに基づいて得た原稿の長さと、前記取得手段が取得した原稿の通過時間と前記重送検知手段の検知結果とに基づいて得た重送状態の原稿の長さとが実質的に一致する場合には、前記画像処理手段が原稿の表裏画像を結合することを特徴とする請求項１乃至５のいずれか１項に記載の画像処理装置。
【請求項８】
原稿の先端及び後端を原稿検知センサにより検知し、前記原稿検知センサを通過する原稿の通過時間を取得する取得手段、を更に備え、
前記取得手段が取得した原稿の通過時間と前記搬送手段の搬送速度とに基づいて得た原稿の長さと、前記取得手段が取得した原稿の通過時間と前記重送検知手段の検知結果とに基づいて得た重送状態の原稿の長さとが実質的に一致しない場合には、原稿の重送が発生したと判断することを特徴とする請求項１乃至７のいずれか１項に記載の画像処理装置。
【請求項９】
原稿の画像を読み取る画像読取装置と、前記画像読取装置に接続されて前記画像読取装置を制御する情報処理装置と、を備えた画像処理システムであって、
前記画像読取装置は、
原稿を搬送路に沿って搬送する搬送手段と、
前記搬送路に設けられ、原稿の表裏画像を読み取る画像読取手段と、
前記搬送路に設けられ、原稿の重送を検知する重送検知手段と、
前記重送検知手段による重送検知後の次操作を指定する操作手段と、を備え、
前記情報処理装置は、
前記操作手段の操作に基づいて、前記重送検知手段により重送と検知され且つ前記画像読取手段が読み取った原稿の表裏画像を結合する画像処理手段を備えたことを特徴とする画像処理システム。
【請求項１０】
原稿の画像を読み取る画像読取装置と、前記画像読取装置に接続されて前記画像読取装置を制御する情報処理装置と、を備えた画像処理システムであって、
前記画像読取装置は、
原稿を搬送路に沿って搬送する搬送手段と、
前記搬送路に設けられ、原稿の表裏画像を読み取る画像読取手段と、
前記搬送路に設けられ、原稿の重送を検知する重送検知手段と、を備え、
前記情報処理装置は、
前記重送検知手段による重送検知後の次操作を指定する操作手段と、
前記操作手段の操作に基づいて、前記重送検知手段により重送と検知され且つ前記画像読取手段が読み取った原稿の表裏画像を結合する画像処理手段を備えたことを特徴とする画像処理システム。
【請求項１１】
前記操作手段は、原稿の表裏画像を結合するか否かの操作画面を表示する表示手段を有し、
前記画像処理手段は、前記操作画面での原稿の表裏画像を結合する旨の操作に基づいて、原稿の表裏画像を結合することを特徴とする請求項９又は１０に記載の画像処理システム。
【発明の詳細な説明】
【技術分野】
【０００１】
本発明は、原稿の表裏画像を読み取って画像処理を行う画像処理装置及び画像処理システムに関する。
【背景技術】
【０００２】
従来から、複写機やプリンター、スキャナ―等においては、高速処理が望まれており、原稿を１枚ずつ分離して搬送路に沿って搬送しながら原稿の画像を読み取る画像読取装置がある。このような画像読取装置には、原稿の重送を検知する重送検知センサが設けられており、重送した場合には、重送した原稿を給送部に戻すメッセージを表示するものが知られている（特許文献１参照）。
【先行技術文献】
【特許文献】
【０００３】
【特許文献１】特開２００８―６３１０１号公報
【発明の概要】
【発明が解決しようとする課題】
【０００４】
しかしながら、重送した原稿を再び搬送し直したい場合だけでなく、例えば、そのまま継続したい場合など、原稿の重送が生じた後の後処理に関して、ユーザの利便性を更に高めたいという要望がある。
【０００５】
本発明は、原稿の重送が生じた後処理についてユーザの利便性を更に向上する技術を提供する。
【課題を解決するための手段】
【０００６】
本発明は、原稿を搬送路に沿って搬送する搬送手段と、前記搬送路に設けられ、原稿の表裏画像を読み取る画像読取手段と、前記搬送路に設けられ、原稿の重送を検知する重送検知手段と、前記画像読取手段が読み取って得た原稿の表裏画像を結合する画像処理手段と、前記重送検知手段による重送検知後の次操作を指定する操作手段と、を備え、前記画像処理手段は、前記操作手段の操作に基づいて、前記重送検知手段により重送と検知された原稿の表裏画像を結合することを特徴とする画像処理装置にある。
【発明の効果】
【０００７】
本発明によれば、原稿の重送が生じた後処理として、原稿の表裏画像を結合する選択肢を増やすことにより、ユーザの利便性を更に向上した画像処理装置及び画像処理システムを実現できる。
【図面の簡単な説明】
【０００８】
【図１】本発明の一実施形態に係る画像読取装置の概略図。
【図２】図１の画像読取装置の制御ユニットのブロック図。
【図３】本発明の画像読取装置とＰＣの接続を示した図。
【図４】本発明に係るＰＣの画像読取処理に関するフローチャート図。
【図５】本発明に係るＰＣの通常処理に関するフローチャート図。
【図６】本発明に係るＰＣの異常処理に関するフローチャート図。
【図７】本発明に係るＰＣが表示する画面の図。
【図８】本発明に係る画像読取装置のフローチャート図。
【図９】半折された原稿の一例の図。
【図１０】半折された原稿の一例の図。
【図１１】重送状態で搬送された現行の一例の図。
【図１２】本発明に係るＰＣが表示する画面の図。
【図１３】本発明に係るＰＣの異常処理に関するフローチャート図。
【発明を実施するための形態】
【０００９】
以下、図面を参照して、本発明を実施の形態に基づいて詳細に説明する。
【００１０】
＜実施形態１＞
図１は本発明の一実施形態に係る画像処理装置の一例である画像読取装置Ａの概略図である。
＜装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、後述するホルダ１００を用いることができる。ホルダ１００に見開き状態の冊子を収容して載置台１に載置することで、冊子がホルダ１００と共に搬送され、その画像を読み取ることができる。更に、搬送媒体Ｓには、ＯＡ紙等が二つ折りの状態となっている大判半折の状態となっているもの（半折原稿）も含まれる。
【００１１】
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
【００１２】
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１３】
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１４】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１５】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２１のような構成の代わりに、搬送媒体Ｓに摩擦力を付与する分離パッドを送りローラ１１に圧接させて、同様の分離作業を持たせるようにしてもよい。
【００１６】
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１７】
このような第２搬送部３０よりも搬送方向下流側にある第３搬送部３０は、駆動ローラ３１と、駆動ローラ３１に柔道する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００１８】
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００１９】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００２０】
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。なお、この重送検出センサ４０は、給送開始直後であって且つ原稿が到達する前のタイミングで超音波発信及び受信を開始し、原稿の搬送中は連続的に検知を実施する。なお、重送検出センサ４０よりも搬送方向上流側に原稿検知センサを設ければ、その原稿検知センサの検知結果によって重送検知センサ４０のＯＮ／ＯＦＦを実施してもよい。
【００２１】
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００２２】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００２３】
媒体検出センサ５０とは別の媒体検出センサ６０は画像読取ユニット７０よりも上流側で、第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０
を配置したが、何れか一方だけでもよい。なお、これら媒体検出センサ５０、６０は、詳細は後述するが、原稿の先端及び後端を検知する原稿検知手段の一例となる。
【００２４】
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００２５】
図２を参照して制御部８について説明する。図２は画像読取装置Ａの制御部８のブロック図である。
【００２６】
制御部８はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。このような操作部８３は、画像読取装置Ａの本体前面に設けられ、例えば、操作者からの読取設定の受付、あるいは、重送検知後の次操作を指定する操作部として機能する。
【００２７】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００２８】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００２９】
画像読取装置Ａの基本的な動作について説明する。制御部８は、例えば画像読取装置Ａが接続された外部パソコンから画像読み取りの開始指示を受信すると、第１乃至第３搬送部１０乃至３０の駆動を開始する。載置台１に積載された搬送媒体Ｓはその最も下に位置する搬送媒体Ｓから１つずつ搬送される。
【００３０】
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００３１】
制御部８は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００３２】
以上の説明によって搬送媒体Ｓの画像読取処理を行う画像読取装置Ａは、一般的に、図３で示されているように、ＰＣ１００と通信ケーブル１０１を介して接続されている。以下の説明では、ＰＣ１００との通信を中心に画像読取処理を説明する。なお、図３には、画像読取装置Ａの前面パネルには、ユーザの操作を受け付けるボタン（操作部）と表示部とが配置された操作パネルａが設けられている。
【００３３】
図４は、画像読取装置Ａが接続しているＰＣ１００によって行われる画像読取処理のフローチャート図を示している。
【００３４】
Ｓ１０００において、画像読取処理を開始したＰＣ１００は、Ｓ１００１でＰＣ１００に接続されている画像読取装置Ａに読取指示を行う。この場合、ＰＣ１００と画像読取装置Ａとは、図３では有線接続にて接続されているが、無線により接続してもよく、いずれにしても通信可能に接続した状態で、画像読取システムを構成する。なお、ＰＣ１００と画像読取装置Ａとが一体となった形態についても画像読取システム又は画像処理装置を構成する。
【００３５】
なお、画像読取装置Ａに対する読取指示の中には、例えば、読取枚数や、読取サイズ、カラーモード/グレーモード、そして、読取面等が含まれる。
【００３６】
その後、Ｓ１００２において、画像読取装置Ａから読取状態が通知されるのを、ＰＣ１００は監視する。
【００３７】
なお、画像読取装置Ａから通知される読取状態とは、画像読取装置Ａが読取った原稿の搬送状態に関する情報や実際の処理された読取面の情報等が含まれる。
【００３８】
図８は、ＰＣ１００に接続されている画像読取装置Ａが実行する画像読取処理のフローチャート図を示している。
【００３９】
図４におけるステップＳ１００１でＰＣ１００から読取指示を受けた画像読取装置Ａは、Ｓ８０００において、画像読取処理を開始し、Ｓ８００１で載置台１に載置されている原稿束から原稿を搬送路へ給送する処理を実行する。
【００４０】
ステップＳ８００２において、画像読取装置Ａは、給送した原稿が重送であるか否かを搬送路内に設けられた超音波式の重送検知センサ４０を用いて、検出する。
【００４１】
給送した原稿が重送であった場合、画像読取装置Ａは、ステップＳ８００２において、原稿の読取面をステップＳ８０００で受信した読取指示にある原稿の読取面に関係なく、両面の画像読取を実行する。
【００４２】
一方で、給送した原稿が重送で無かった場合、つまり、載置台に載置された原稿束から、１枚ずつ正常に原稿を給紙することができた場合、画像読取装置Ａは、ステップＳ８００４において、ステップＳ８０００で受信した読取指示の設定に従い、原稿の画像読取を行う。
【００４３】
画像読取処理を実行している画像読取装置Ａは、ステップＳ８００５において、ＰＣ１００に対して、読取状態の通知を行う。即ち、画像読取処理を行っている原稿が重送状態にあるか否かを通知する。
【００４４】
図４のステップＳ１００２において、読取状態の通知を監視していたＰＣ１００は、画像読取装置Ａから通知された読取状態に応じて、ステップＳ１００３で画像データを取得すべく、画像データの受信処理を開始する。
【００４５】
図８のステップＳ８００５において、搬送路へ搬送した原稿の読取状態を通知した画像読取装置Ａは、引き続き、ステップＳ８００６で通知した読取状態に対応した原稿の画像データの転送を開始する。
【００４６】
つまり、ステップＳ８００２において、搬送された原稿が重送状態であれば、両面の画像読取がステップＳ８００３で実行されているので、画像読取装置Ａは、両面の画像データを転送する。一方で、搬送された原稿が重送状態で無ければ、ステップＳ８００４において、読取指示設定に基づいた読取面に応じて画像読取処理が実行されているので、画像読取装置Ａは、読取指示設定に基づいて画像データを転送する。
【００４７】
ステップＳ８００６において、画像データを転送した画像読取装置Ａは、ステップＳ８００７で原稿の重送状態に応じて、その後の処理を変更する。即ち、搬送した原稿が重送状態でなければ、画像読取装置Ａは、ステップＳ８００８において、原稿を排紙トレイ２へ排出して画像読取処理を終了する。
【００４８】
一方で、搬送した原稿が重送状態であれば、画像読取装置Ａは、ステップＳ８００９において、ＰＣからの指示を待機する。
【００４９】
図４のステップＳ１００３において、画像読取装置Ａから転送された画像データを受信し、画像データを取得したＰＣ１００は、ステップＳ１００２で既に取得していた読取状態に基づいて、Ｓ１００４で次に実行する処理を決定する。
【００５０】
即ち、取得した読取状態から、受信した画像データの原稿が、一枚ずつ正常に搬送されていたのであれば、ＰＣ１００は、ステップＳ１００５における通常処理を実行する。一方で、取得した読取状態から、受信した画像データの原稿が、重送した状態で搬送されたのであれば、ＰＣ１００は、ステップＳ１００６において異常処理を実行する。
【００５１】
図５は、図４のＰＣ１００が実行する画像読取処理のフローにおけるステップＳ１００５の通常処理を詳細に示したフローチャートである。
【００５２】
図４のＳ１００４において、搬送された原稿が通常状態であり、ステップＳ１００５の通常処理の実行を決定したＰＣ１００は、ステップＳ２０００において通常処理を開始する。通常処理の実行を開始したＰＣ１００は、ステップＳ２００１において、図４におけるステップＳ１００３で取得した画像データの保存処理を実行する。その後、Ｓ２００２において、ＰＣ１００は、通常処理を終了する。
【００５３】
図４におけるステップＳ１００５の通常処理を終えたＰＣ１００は、ステップＳ１００７において、画像読取処理を終了する。
【００５４】
次に、図４におけるステップＳ１００２で取得した読取状態から、受信した画像データの原稿が重送した状態で搬送されたことを検出したＰＣ１００が実行するステップＳ１００６の異常処理について説明する。
【００５５】
図６は、図４におけるステップＳ１００６の搬送異常処理を詳細に示したフローチャートである。
【００５６】
図４のステップＳ１００４において、搬送された原稿が搬送異常状態であり、ステップＳ１００６の搬送異常処理の実行を決定したＰＣ１００は、ステップＳ３０００において異常処理を開始する。
【００５７】
搬送異常処理の実行を開始したＰＣ１００は、ステップＳ３００１において、画像読取装置Ａが搬送した原稿が重送であることを操作者にＰＣ１００が有するディスプレイ（表示部）を通じて通知するとともに、読取った画像データに対する処置を操作者に問い合わせるため、ＰＣ１００上の表示部に、操作者からの指示を受ける為の画面を表示し、ステップＳ３００２で操作者による指示が確定されるのを監視する。
【００５８】
図７は、ＰＣ１００上の表示部に表示された画面の一例である。図７に示すメッセージ画面には、重送したことを示すメッセージに加え、重送した原稿の画像に対する後処理を指定できるようになっている。その指定項目は、ユーザの利便性に応じて適宜変更可能すればよいが、例えば、「保存」、「結合」、「破棄」、又は「再読取」、あるいは「中止」等のうち少なくとも１つの項目が表示可能であるが、本実施形態では、「結合」に関する項目として、後述するが、例えば、『大判半折保存して継続』の項目表示を行う。これにより、重送した原稿が、半折原稿である場合には、ユーザとしては継続したい場合があるので、そのときには、この「大判半折保存して継続」の操作ボタンを選択することにより、中断することなく、読取継続を行うことができる。すなわち、図７に示すようなメッセージ画面を表示する表示手段（表示部）は、重送検知手段による重送検知後の次操作を指定する操作手段の一例であり、より詳細には、原稿の表裏画像を結合するか否かの操作画面を表示する手段の一例である。
【００５９】
図７に示すメッセージ画面は、重送が発生したことを示すメッセージ画面の一例であり、重送エラーが発生したことに加えて、重送した原稿の画像処理に関する次操作を指定できる。より詳細には、画面上に表示されるボタンの１つである『保存して継続』（「保存」に関する項目）は、画像読取装置Ａが重送エラーを検出したが、通常処理として画像データを保存し、次原稿の画像読取処理を継続する場合に選択される指示である。この選択を行うと、例えば、原稿の一部に付箋や写真等が貼られている場合、そのまま画像を保存して継続できる。
また、『大判半折保存して継続』は、半折された状態で搬送された原稿であるために、表裏を結合して一枚の画像データとして保存し、次原稿の画像読取処理を継続する場合に選択される。この選択を行うと、重送した原稿が半折であるとユーザが認識している場合、そのまま継続できる他、半折原稿であるので１つの画像として保存することができる。
【００６０】
更に、『破棄して再読取』（「破棄」又は「再読取」に関する項目）は、重送した状態で原稿の読取が行われてしまったので、取得した画像データを再度排紙トレイに排出された原稿を載置台に再度載置しなおして画像読取処理を再度行う場合に選択される指示である。これにより、重送した原稿について読み取った画像を破棄し、中断することなく、画像読み取りを継続できる。
【００６１】
最後に、『スキャンストップ』（「中止」に関する項目）は、画像読取装置Ａが検出した重送エラーによって、画像読取処理そのものをやめるために選択される指示である。この選択を行えば、重送エラーが発生した原稿の画像読取を一旦キャンセル扱いとし、全ての画像読み取りをやり直すことができる。
【００６２】
ステップＳ３００２で操作者からの指示の受けたＰＣ１００は、ステップＳ３００３で操作者からの指示が『保存して継続』であるか否かを検出する。
【００６３】
もし、操作者からの指示が『保存して継続』であれば、ＰＣ１００はステップＳ３００４において、図５のステップＳ２００１で行ったのと同様な保存処理を読取った画像に対して行う。
【００６４】
なお、図４のステップＳ１００１において、画像読取装置Ａに指示した読取面が片面のみであった場合、ＰＣ１００は、不要な面の画像データを取得していることとなる。
【００６５】
この場合、ＰＣ１００は不要な面の画像データを破棄しても構わない。
【００６６】
ステップＳ３００４において、取得画像の保存処理を実行したＰＣ１００は、ステップＳ３００８で画像読取装置Ａに対して、取得した画像データが正常に処理されたことを通知する。
【００６７】
ステップＳ３００３において、操作者からの指示が『保存して継続』以外であった場合、ＰＣ１００は、ステップＳ３００５において、操作者からの指示が『大判半折保存して継続』であるか否かを検出する。
【００６８】
ステップＳ３００５において、操作者からの指示が『大判半折保存して継続』であった場合、ＰＣ１００は、ステップＳ３００６で取得した表裏の画像データを結合し、一枚の画像データとして保存する。
【００６９】
なお、表裏の画像データの結合方法については、既知の技術を以って結合する。
【００７０】
ステップＳ３００６において、取得画像の保存処理を実行したＰＣ１００は、ステップＳ３００８で画像読取装置Ａに対して、取得した画像データが正常に処理されたことを通知する。
【００７１】
ステップＳ３００５において、操作者からの指示が『破棄して再読取』、若しくは、『スキャンストップ』等、読取った画像データの破棄をするものであった場合、ＰＣ１００は、ステップＳ３００７において、取得画像の破棄を実行する。
【００７２】
ステップＳ３００７で取得した画像データを破棄したＰＣ１００は、ステップＳ３００８において、画像読取装置Ａに対して、取得した画像データは無効であり、破棄されたことを通知するとともに、次原稿の画像読取を停止する。
【００７３】
ステップＳ３００８において画像データに対する処置を画像読取装置Ａに対して通知したＰＣ１００は、ステップＳ３００９において異常処理を終了し、図４におけるステップＳ１００７で画像読取処理を終了する。
【００７４】
一方、図８のステップＳ８００９でＰＣ１００からの指示を待機していた画像読取装置Ａは、図６のステップＳ３００８でＰＣ１００が画像読取装置Ａに対して通知した画像データの処置情報に基づいて、次原稿の画像読取を継続させるか否かをステップＳ８０１０において判定する。
【００７５】
ＰＣ１００によって通知された画像データの処置が正常処理された場合、画像読取装置Ａは、次原稿の画像読取処理を継続するものとして、ステップＳ８００８において、この画像読取処理を終了する。
【００７６】
一方で、ＰＣ１００によって通知された画像データが破棄された場合、画像読取装置Ａは、重送エラー状態に移行し、ステップＳ８００８において、この画像読取処理を終了する。
なお、重送検知センサによって取得した原稿の重送状態に応じて動的に読取面の設定を両面に変更するように説明したが、常に、両面画像を読取るように制御しても構わない。
【００７７】
＜実施形態２＞
装置の構成は、実施の形態１と同様のため、割愛する。また、ＰＣ１００と通信を行い、画像読取処理を実行する画像読取装置Ａの処理のフローも実施の形態１と同様である。
【００７８】
本実施形態が実施形態１と異なるのは、図４のステップＳ１００２において取得された読取状態の中に、搬送した原稿の先端から後端までの検出された厚み情報も含まれることにより、その後のステップＳ１００６の異常処理が異なることが特徴である。
【００７９】
図９、図１０は、画像読取装置Ａが搬送した半折された状態の原稿Ｓ1の斜視図と、画像読取装置Ａが原稿Ｓ１を搬送したことによって検出した厚み情報である。
【００８０】
図９のように、原稿Ｓ１が折られた綴じ代部分が搬送方向に対して平行の場合、画像読取装置Ａは、原稿の先端部Ｐから後端部Ｑまでの区間Ｌにおいて、二枚分の厚みＴ２を検出する。この原稿の先端部Ｐ又は後端部Ｑは、図１の媒体検出センサ５０又は６０により検出できる。この媒体検出センサ５０又は６０により検知した結果と、原稿を搬送する第１搬送部１０，第２搬送部２０，第３搬送部３０における搬送速度との関係から、区間Ｌ（原稿の長さ）を求める。そして、この原稿の長さに相当する区間Ｌにおいて、重送検知センサ４０により重送検知し、重送状態であるかどうかを判断する。図９では、半折原稿であるため、原稿の長さに相当する区間Ｌの全てが重送した部分となる。
【００８１】
一方で、図１０のように、原稿Ｓ１が折られた綴じ代部分から搬送された場合、画像読取装置Ａは、原稿先端Ｐを検出したと同時に、二枚分の厚みＴ２を検出する。この検出については、上述した図９の場合と同様である。
【００８２】
原稿Ｓ１が中央で折られていなかった場合は、短いほうの後端部分Ｑ１を検出してから長いほうの後端部分Ｑ２を検出するまで、画像読取装置Ａは、1枚分の厚みＴ１を検出する。
【００８３】
逆に、原稿Ｓ１が折られた綴じ代部分が後端になるように搬送された場合、画像読取装置Ａは、一枚分の厚みＴ１を検出した後、二枚分の厚みＴ２を検出することとなる。
【００８４】
いずれにせよ、半折された原稿が搬送された場合、原稿先端、若しくは原稿後端部のいずれかで二枚分の厚みが検出される。この場合は、原稿の先端又は後端の一方で重送した部分があると判断され、他方で重送していない部分があると判断される場合には、閾値を設けることなく、半折原稿と判定可能である。重送部分の長さが、原稿の長さに示す割合が大きく、半折原稿として判断してもよく、その判断基準は、予め閾値を設定しておくことにより簡易に実施できる。なお、本実施形態の図９及び図１０（及び後述する図１１）では、重送状態を「厚み」として表現しているが、実際に厚み検知を行わなくても、原稿の搬送方向において原稿の重送状態の部分を検出できれば重送検知を用いた厚み検知（判定）を行わなくてもよい。あるいは、原稿の先端及び後端を原稿検知センサ(上述した媒体検出センサ５０又は６０)により検知し、この原稿検知センサを通過する原稿の通過時間をＣＰＵ８４が算する。ＣＰＵ８４は、取得した原稿の通過時間と搬送手段の搬送速度とに基づいて得た原稿の長さを求めると共に、原稿の通過時間と重送検知手段の検知結果とに基づいて重送状態の原稿の長さを求め、それらを比べることにより、半折原稿かどうかを判断する。例えば、重送状態の原稿の長さが、原稿検知センサを通過する原稿の長さよりも短い場合には重送したと判断し、両者が一致した場合には半折原稿と判断するようにしてもよい。
【００８５】
また、図１１は、画像読取装置Ａが１枚目の原稿Ｓ２を給送したときに、２枚目の原稿Ｓ３が連れ入ってしまい、重送した状態で搬送された際の原稿Ｓ２と原稿Ｓ３の位置関係を示した斜視図と、画像読取装置Ａが原稿Ｓ２と原稿Ｓ３を搬送したことによって検出した厚み情報を示した図である。
【００８６】
図１１のように、原稿が重送した状態で搬送された場合、画像読取装置Ａは、最初に１枚目の原稿Ｓ１の厚み情報を取得した暫くの後、原稿Ｓ２と原稿Ｓ３が重なった部分を検出し、更に続いて、原稿Ｓ２のみの厚み情報を取得する。この場合には、重送したと判断する。上述した原稿検知センサを通過する原稿の長さと、重送状態の原稿の長さとの比較から重送したと判断してもよい。
【００８７】
更に、その後、２枚目の原稿Ｓ３だけの厚み情報を取得することとなる。
【００８８】
本実施形態では、搬送された原稿の状態に応じて、検出された原稿の厚さ情報が変化を利用する。
【００８９】
図１３は、図４におけるステップＳ１００６の異常処理を詳細に示したフローチャートである。
【００９０】
図４のステップＳ１００４で、搬送された原稿を異常状態として検出し、ステップＳ１００６の異常処理の実行を決定したＰＣ１００は、ステップＳ４００１において、画像読取装置Ａから画像を読取られた原稿が重送状態であるか否かを通知される。
【００９１】
ステップＳ４００１で原稿が重送状態で搬送されていることを画像読取装置Ａから通知されたＰＣ１００は、ステップＳ４００２において、画像読取装置Ａから取得した原稿厚み情報に基づいて重送領域を検出する。
【００９２】
ステップＳ４００２において重送領域が所定領域以上であると検出したＰＣ１００は、ステップＳ４００３で、読取った画像データに対する処置を操作者に問い合わせるために表示する画面に、大判読取モードを選択できるような選択肢を追加する。
【００９３】
その後、ステップＳ４００４において、画像読取装置Ａが搬送した原稿が重送であることを操作者に通知するとともに、読取った画像データに対する処置を操作者に問い合わせるため、ＰＣ１００上の表示部に、操作者からの指示を受ける為の画面を表示し、ステップＳ４００５で操作者による指示が確定されるのを監視する。
【００９４】
図７は、ＰＣ１００が表示部に表示した画面の一例である。画面には、操作者が大判読取モードを選択できるようにボタンが追加されている。
【００９５】
一方、ステップＳ４００１で搬送された原稿が重送状態ではないことを画像読取装置Ａから通知された場合、ＰＣ１００は、ステップＳ４００４において、画像読取装置Ａが搬送した原稿が正常に搬送されていなかったことを通知するとともに、読取った画像データに対する処置を操作者に問合せるため、ＰＣ１００上の表示部に、操作者からの指示を受けるための画面を表示する。この画面は、サブウインドウのようなポップアップウインドウでもよいし、画像の読取設定を行うメインウインドウでもよい。
【００９６】
図１２は、ＰＣ１００が表示部に表示した画面の一例である。搬送された原稿が重送状態ではないと通知された為、ＰＣ１００は、原稿が半折されて搬送されていないものと判定して、『大判読取』を操作者によって選択されないようにしている。
【００９７】
更に、ステップＳ４００２において、画像読取装置Ａから搬送された原稿が重送状態であることを通知され、取得した原稿の厚み情報から、重送領域が所定領域以下であることを検知したＰＣ１００は、搬送された原稿が半折されて搬送されなかったものと判定する。
【００９８】
その結果、ＰＣ１００は、読取った画像データに対する処置を操作者に問い合わせるために表示する画面に、大判読取モードを選択できるような選択肢を追加せずに、ステップＳ４００４において、画像読取装置Ａが搬送した原稿が正常に搬送されていなかったことを通知するとともに、読取った画像データに対する処置を操作者に問合せるため、ＰＣ１００上の表示部に、操作者からの指示を受けるための画面を表示する。図１２は、ＰＣ１００が表示部に表示した画面の一例である。
【００９９】
ステップＳ４００４で表示部に操作者からの指示を受けるための画面を表示したＰＣ１００は、ステップＳ４００５において、操作者による指示が確定されるのを監視する。
【０１００】
ステップＳ４００５で操作者からの指示の受けたＰＣ１００は、ステップＳ４００６で操作者からの指示が『保存して継続』であるか否かを検出する。
【０１０１】
もし、操作者からの指示が『保存して継続』であれば、ＰＣ１００はステップＳ４００7において、図５のステップＳ２００１で行ったのと同様な保存処理を読取った画像に対して行う。
【０１０２】
ステップＳ４００７において、取得画像の保存処理を実行したＰＣ１００は、ステップＳ４０１１で画像読取装置Ａに対して、取得した画像データが正常に処理されたことを通知する。
【０１０３】
ステップＳ４００６において、操作者からの指示が『保存して継続』以外であった場合、ＰＣ１００は、ステップＳ４００８において、操作者からの指示が『大判半折保存して継続』であることを検出する。
【０１０４】
ステップＳ４００８において、操作者からの指示が『大判半折保存して継続』であった場合、ＰＣ１００は、ステップＳ４００９で取得した表裏の画像データを結合し、一枚の画像データとして保存する。
【０１０５】
なお、表裏の画像データの結合方法については、既知の技術を以って結合する。
【０１０６】
ステップＳ４００９において、取得画像の保存処理を実行したＰＣ１００は、ステップＳ４０１１で画像読取装置Ａに対して、取得した画像データが正常に処理されたことを通知する。
【０１０７】
ステップＳ４００８において、操作者からの指示が『破棄して再読取』、若しくは、『スキャンストップ』等、読取った画像データの破棄をするものであった場合、ＰＣ１００は、ステップＳ４０１０において、取得画像の破棄を実行する。
【０１０８】
ステップＳ４０１０で、取得した画像データを破棄したＰＣ１００は、ステップＳ４０１１において、画像読取装置Ａに対して、取得した画像データは無効であり、破棄されたことを通知するとともに、次原稿の画像読取を停止させる。
【０１０９】
ステップＳ４０１１において画像データに対する処置を画像読取装置Ａに対して通知したＰＣ１００は、ステップＳ４０１２において異常処理を終了する。
【０１１０】
＜付記＞
以上、本発明を実施の形態に基づいて詳細に説明したが、本発明は、上述した実施形態１及び２に限定されるものではない。
【０１１１】
上述した実施形態１及び２では、ＰＣが有する表示部において、重送検知後の次操作を行うための画面を表示するようにしたが、本発明は勿論これに限定されず、例えば、画像読取装置が有する表示部（例えば、図３の操作パネルａ）に対し、同様の表示または操作ボタンによりユーザ指定させるようにしてもよい。
【０１１２】
また、本発明は、次のような態様を含むものである。
【０１１３】
本発明の画像処理装置は、原稿を搬送路に沿って搬送する搬送手段と、前記搬送路に設けられ、原稿の表裏画像を読み取る画像読取手段と、前記搬送路に設けられ、原稿の重送を検知する重送検知手段と、前記画像読取手段が読み取って得た原稿の表裏画像を結合する画像処理手段と、前記重送検知手段による重送検知後の次操作を指定する操作手段と、を備え、前記画像処理手段は、前記操作手段の操作に基づいて、前記重送検知手段により重送と検知された原稿の表裏画像を結合することを特徴としてもよい。
かかる本発明の態様によれば、重送検知結果に基づき原稿の表裏画像を結合する機能を備えようにしたので、重送検知後の後処理として、原稿の表裏画像を結合することが可能となり、ユーザの利便性を更に向上できる。
【０１１４】
また、本発明では、原稿を搬送路に沿って搬送する搬送手段と、前記搬送路に設けられ、原稿の表裏画像を読み取る画像読取手段と、前記搬送路に設けられ、原稿の重送を検知する重送検知手段と、前記画像読取手段が読み取って得た原稿の表裏画像を結合する画像処理手段と、前記重送検知手段による重送検知後の次操作を指定する操作手段と、を備え、
前記操作手段は、原稿の表裏画像を結合するか否かの操作画面を表示する表示手段を有し、前記画像処理手段は、前記操作画面での操作に基づいて、原稿の表裏画像を結合することを特徴としてもよい。
かかる本発明の態様によれば、表示手段で表示される操作画面での操作に基づいて、ユーザが原稿の表裏画像の結合指示を重送状態の状況に応じて臨機応変に行うことが可能となる。
【０１１５】
また、上記本発明では、前記表示手段は、前記重送検知手段の検知結果に基づいて、前記メッセージ画面の表示内容を変更することを特徴としてもよい。
かかる本発明の態様によれば、重送検知の結果に基づいて、重送検知後の後処理を行い易くするために、メッセージ画面の表示内容を変更できる。
【０１１６】
また、上記本発明では、前記搬送路に対して原稿を１枚ずつ分離して給送する分離給送手段と、を更に備え、前記表示手段は、前記重送検知手段が原稿の重送を検知した場合に、原稿の重送が生じた旨のメッセージ画面を表示し、前記メッセージ画面では、読み取った表裏画像に対する処理として、「保存」、「結合」、「破棄」、又は「再読取」のうち、少なくとも「結合」に関する項目の指定が可能であることを特徴としてもよい。
かかる本発明の態様によれば、読み取った表裏画像に対する後処理として、少なくとも「結合」に関する項目が指定できるようになるため、ユーザの利便性を向上できる。
【０１１７】
また、上記本発明では、前記重送検知手段の検知結果に基づき原稿の全体が重送したと判断される場合には、前記表示手段は、読み取った表裏画像に対する処理として、「保存」、「結合」、「破棄」、又は「再読取」に関する各項目が指定可能なメッセージ画面を表示し、
前記重送検知手段の検知結果に基づき原稿の一部が重送したと判断される場合には、前記表示手段は、読み取った表裏画像に対する処理として、「保存」、「破棄」、又は「再読取」に関する各項目が指定可能なメッセージ画面を表示することを特徴としてもよい。
かかる本発明の態様によれば、原稿同士の一部が重なり合った重送と、原稿同士の全体が重なった重送とを区別し、各重送の状態に合わせて、メッセージ画面での選択項目を変更することにより、ユーザの利便性を更に向上できる。
【０１１８】
また、上記本発明では、前記重送検知手段の検知結果に基づき原稿の一部が重送したと判断される場合には、前記表示手段は、重送した旨のメッセージ画面を表示し、前記重送検知手段の検知結果に基づき原稿の全体が重送したと判断される場合には、前記表示手段は、読み取った表裏画像の結合を行うか否かのメッセージ画面を表示することを特徴としてもよい。
かかる本発明の態様によれば、メッセージ内容を重送の状態に応じて変更することにより、ユーザの利便性を更に向上できる。
【０１１９】
また、上記本発明では、原稿の先端及び後端を原稿検知センサにより検知し、前記原稿検知センサを通過する原稿の通過時間を取得する取得手段、を更に備え、前記取得手段が取得した原稿の通過時間と前記搬送手段の搬送速度とに基づいて得た原稿の長さと、前記取得手段が取得した原稿の通過時間と前記重送検知手段の検知結果とに基づいて得た重送状態の原稿の長さとが実質的に一致する場合には、前記画像処理手段が原稿の表裏画像を結合することを特徴としてもよい。
かかる本発明の態様によれば、原稿の搬送方向における原稿の長さと、重送部分の長さとを比べて、一致している場合には、例えば、半折された原稿とみなして、原稿の表裏画像を結合することにより、ユーザの利便性を更に向上できる。
【０１２０】
また、上記本発明では、原稿の先端及び後端を原稿検知センサにより検知し、前記原稿検知センサを通過する原稿の通過時間を取得する取得手段、を更に備え、前記取得手段が取得した原稿の通過時間と前記搬送手段の搬送速度とに基づいて得た原稿の長さと、前記取得手段が取得した原稿の通過時間と前記重送検知手段の検知結果とに基づいて得た重送状態の原稿の長さとが実質的に一致しない場合には、原稿の重送が発生したと判断することを特徴としてもよい。
かかる本発明の態様によれば、原稿の搬送方向における原稿の長さと、重送部分の長さとを比べて、一致しない場合には、例えば、原稿の一部同士が部分的に重送した状態であるとみなして、原稿の重送が発生したと判断することにより、重送検知後の後処理を速やかに実施できる。
【０１２１】
また、本発明の画像処理システムは、原稿の画像を読み取る画像読取装置と、前記画像読取装置に接続されて前記画像読取装置を制御する情報処理装置と、を備えた画像処理システムであって、前記画像読取装置は、原稿を搬送路に沿って搬送する搬送手段と、前記搬送路に設けられ、原稿の表裏画像を読み取る画像読取手段と、前記搬送路に設けられ、原稿の重送を検知する重送検知手段と、前記重送検知手段による重送検知後の次操作を指定する操作手段と、を備え、前記情報処理装置は、前記操作手段の操作に基づいて、前記重送検知手段により重送と検知され且つ前記画像読取手段が読み取った原稿の表裏画像を結合する画像処理手段を備えたことを特徴とする。
かかる本発明の態様によれば、画像読取装置側でのユーザ操作に基づいて、情報処理装置側で原稿の表裏画像を結合する処理を行える。
【０１２２】
また、本発明の画像処理システムは、原稿の画像を読み取る画像読取装置と、前記画像読取装置に接続されて前記画像読取装置を制御する情報処理装置と、を備えた画像処理システムであって、前記画像読取装置は、原稿を搬送路に沿って搬送する搬送手段と、前記搬送路に設けられ、原稿の表裏画像を読み取る画像読取手段と、前記搬送路に設けられ、原稿の重送を検知する重送検知手段と、を備え、前記情報処理装置は、前記重送検知手段による重送検知後の次操作を指定する操作手段と、前記操作手段の操作に基づいて、前記重送検知手段により重送と検知され且つ前記画像読取手段が読み取った原稿の表裏画像を結合する画像処理手段を備えたことを特徴とする。
かかる本発明の態様によれば、情報処理装置側での操作に基づいて、画像読取装置から受け取った原稿の表裏画像を結合する処理を情報処理装置で行える。
【０１２３】
また、上記本発明のシステムでは、前記操作手段は、原稿の表裏画像を結合するか否かの操作画面を表示する表示手段を有し、前記画像処理手段は、前記操作画面での原稿の表裏画像を結合する旨の操作に基づいて、原稿の表裏画像を結合することを特徴としてもよい。
かかる本発明の態様によれば、操作画面での操作によって原稿の表裏画像を結合液るため、ユーザの利便性を向上できる。
【０１２４】
ここで、本発明の画像処理装置に適用可能な画像読取装置としては、好適には、載置台に載置された複数枚の原稿を１枚ずつ分離して搬送路に給送し、連続的に原稿の画像を読取る画像読取装置であるのがよく、この場合には、例えば、原稿の画像を読取る前に、操作者（ユーザ）が、画像読取装置に外部接続されたＰＣ等の情報処理装置内のスキャナドライバや画像キャプチャアプリケーションを利用して原稿画像読取時の解像度、画像サイズ、読み取った画像ファイルのファイル名、およびファイル形式などの設定を行う。このような画像読取装置では、高速処理を実現するため、載置台に載置された原稿束から重送させないように、１枚ずつ原稿を分離させ、搬送路に給送するのが好ましい。一方、原稿束から一枚ずつ分離されず、複数枚の原稿が重なった状態で搬送される所謂重送状態を検出するためには、重送検知部（例えば、超音波検知式の重送検知手段）が必要である。
【０１２５】
そして、このような重送検知部を有する画像読取装置では、搬送する原稿に重送が発生したとき、原稿送りエラー発生時の処理として原稿送り動作（後続原稿の給送）、および画像データの情報処理装置側への送出動作を中止するようにすればよい。重送した原稿は、搬送路中で搬送停止させてもよいが、そのまま排紙するようにしてもよい。
【０１２６】
一方、画像読取装置が接続される情報処理装置側の処理プログラムであるスキャナドライバは、上述した重送が発生し、画像読取装置から重送した旨の通知あるいは定期的な重送発生の監視を行って重送が発生したことを検知した場合、画像データ受信不良として画像データの保存処理を中止する。このとき、スキャナドライバから画像キャプチャアプリケーションプログラムに原稿送りエラーが通知され、エラーが発生したことを示す画面（ダイアログボックス）が情報処理装置側のモニタ上に表示される。
【０１２７】
この場合、操作者に対し、画像キャプチャアプリケーションプログラムなどを通じて、情報処理装置に保存された画像ファイルの中から、重送が発生した原稿の読取画像の確認を常に行わせ、原稿の読取作業のやり直しをさせるとなると、非常に煩雑である。
【０１２８】
例えば、原稿を一枚ずつ原稿束から原稿を分離させ、搬送路に給送する画像読取装置では、搬送可能な原稿の搬送許容サイズが規定されているが、規定されている原稿の最大サイズを超える原稿を給送するために、原稿を半折りすることで、最大サイズを超える原稿を読み取ることができる。例えば、Ａ４サイズまでの両面読取が可能な画像読取装置において、Ａ３サイズの原稿を半分に折り畳み、折り畳んだままの状態で両面読取を行い、読取った一対の表裏画像を連結することで、一枚のＡ３サイズの原稿の画像が得られることになる。つまり、最大サイズを超える原稿を半分に折って搬送し、その両面読取を行うと、その原稿の片面全体が、表裏２枚の画像として取得できる。この場合、原稿が重なっているため、重送検知してしまうが、ユーザとしては半折のまま読取りを継続し、表裏画像を結合したい場合がある。この読取方法は、『大判読取』と呼ばれるものであるが、『大判読取』を実現するためには、画像読取装置は、原稿束から原稿を１枚ずつ分離せずに、給紙、且つ、重送した状態で搬送されてきた原稿の画像を読取る、所謂『非分離モード』という機能で区別した給送を行うのが便利である。なお、このような半折原稿だけでなく、画像の読取を行う原稿の中に、複数枚毎に束になった帳票や、半分に折り曲げた状態になったものなど、様々な形態をとるものがあるため、ユーザとしてはその都度、重送エラーとなっては不便である。本発明は、このようなユーザの利便性を向上するものであり、重送検知後の後処理として重送した原稿の表裏画像を結合する機能を備えたものである。これにより、ユーザは、重送検知後に、少なくとも原稿の表裏画像を結合する指定を行えるため、読取処理の中断を防ぎ、画像読み取りを継続して行うことができる。
【図１】
2017208627.tif 000003
【図２】
2017208627.tif 000004
【図３】
2017208627.tif 000005
【図４】
2017208627.tif 000006
【図５】
2017208627.tif 000007
【図６】
2017208627.tif 000008
【図７】
2017208627.tif 000009
【図８】
2017208627.tif 000010
【図９】
2017208627.tif 000011
【図１０】
2017208627.tif 000012
【図１１】
2017208627.tif 000013
【図１２】
2017208627.tif 000014
【図１３】
2017208627.tif 000015